(57)【要約】パワーダウン中にコンピュータ・システムを通信チャネルから切り離すためのパーソナルコンピュータ・フェールセーフ保護デバイスに関する。該パーソナルコンピュータ・フェールセーフ保護デバイスは、コンピュータ・システムから引出された電圧を検知する電圧センサ（４８）、通信チャネルに接続するための入力ポート（１８，２０，２２）、通信チャネルをコンピュータ・システムに接続するための出力ポート（３８，４０，４２）及び入力ポートと出力ポートとの間を接続するリレー（５０，５２，５４）からなる。引出された電圧が閾値を下回り、コンピュータ・システムがパワーダウン或いはスリープ状態となることを指し示していることを検知すると、リレーは選択的に入力ポートと出力ポートを切断する。
2005518044.tif 000002
【特許請求の範囲】
【請求項１】
パワーダウン中に通信チャネルからコンピュータ・システムを切り離すためのパーソナル・コンピュータ・フェールセーフ保護デバイスであって、
前記パーソナル・コンピュータ・フェールセーフ保護デバイスが、
（ａ）前記コンピュータ・システムから引出される電圧を検知する手段と、
（ｂ）通信チャネルと接続するための入力ポートと、
（ｃ）前記コンピュータ・システムの通信チャネル入力へ前記入力ポートを接続するための出力ポートと、
（ｄ）前記入力ポートと出力ポート間を接続するとともに、前記引出された電圧が、前記コンピュータ・システムがパワーダウン若しくはスリープ状態にあることを指し示す閾値以下となっていることを前記検知手段が検知するとすぐに、前記入力ポートと出力ポートを選択的に切断するリレーを備えることを特徴とするパーソナル・コンピュータ・フェールセーフ保護デバイス。
【請求項２】
前記入力及び出力ポートがケーブルコネクタであり、
前記入力ポートがケーブル線に接続可能であることを特徴とする請求項１記載のパーソナル・コンピュータ・フェールセーフ保護デバイス。
【請求項３】
前記入力及び出力ポートがｘＤＳＬであり、
前記入力ポートがｘＤＳＬ線に接続可能であることを特徴とする請求項１記載のパーソナル・コンピュータ・フェールセーフ保護デバイス。
【請求項４】
前記入力及び出力ポートが電話コネクタであり、
前記入力ポートが電話線に接続可能であることを特徴とする請求項１記載のパーソナル・コンピュータ・フェールセーフ保護デバイス。
【請求項５】
前記デバイスが、第１、第２及び第３入力ポートと、
対応する第１、第２及び第３出力ポートと、
対応する第１、第２及び第３リレーを備え、
各リレーが入力及び出力ポートのそれぞれの対の間で接続されることを特徴とする請求項１記載のパーソナル・コンピュータ・フェールセーフ保護デバイス。
【請求項６】
前記第１入力及び第１出力ポートがケーブルコネクタであり、
前記第２入力及び第２出力ポートがｘＤＳＬコネクタであり、
前記第３入力及び第３出力ポートが電話コネクタであることを特徴とする請求項５記載のパーソナル・コンピュータ・フェールセーフ保護デバイス。
【請求項７】
電話／ファクシミリ・コネクタを更に備え、
該電話／ファクシミリ・コネクタが、前記デバイスがオン状態にあるときは常に電源が入っている状態であることを特徴とする請求項６記載のパーソナル・コンピュータ・フェールセーフ保護デバイス。
【請求項８】
手動オーバーライド・スイッチを更に備え、
該スイッチが、前記入力及び出力ポートを切断するための前記リレーを手動でトリガすることを特徴とする請求項１記載のパーソナル・コンピュータ・フェールセーフ保護デバイス。
【請求項９】
手動オーバーライド・スイッチを更に備えるとともに、該スイッチが、前記第１、第２及び第３入力ポートを前記第１、第２及び第３出力ポートからそれぞれ切断するための前記リレーを手動でトリガすることを特徴とする請求項５記載のパーソナル・コンピュータ・フェールセーフ保護デバイス。
【請求項１０】
前記検知手段が、コンピュータ・システムのモニタによって引出された電圧を検知することを特徴とする請求項９記載のパーソナル・コンピュータ・フェールセーフ保護デバイス。
【請求項１１】
前記検知手段が前記入力及び出力ポートを１日のうち所定の時間接続するための前記リレーをトリガし、
前記１日のうちの所定の時間通信チャネルを介して、ユーザが前記コンピュータ・システムを使用することが可能となることを特徴とする請求項１記載のパーソナル・コンピュータ・フェールセーフ保護デバイス。
【請求項１２】
前記デバイスが電源と接続されるとともに、前記コンピュータ・システムへの供給電力と接続するための電力アウトレットを備え、
前記検知手段が、前記コンピュータ・システムによって使用される電圧量を検知することを特徴とする請求項１記載のパーソナル・コンピュータ・フェールセーフ保護デバイス。
【請求項１３】
前記デバイスが電源と接続されるとともに、前記コンピュータ・システムのモニタへの供給電力と接続するための出力アウトレットを備え、
前記検知手段が、前記モニタによって使用される電圧量を検知することを特徴とする請求項１１記載のパーソナル・コンピュータ・フェールセーフ保護デバイス。
【請求項１４】
非可動時の所定時間の後のスリープ・モードに入るとすぐに、前記モニタが必要とされる電圧量を低減し、
該低減された必要電圧量が、前記検知手段が前記入力ポートと出力ポートを切断するリレーをトリガすることが可能な値であることを特徴とする請求項１記載のパーソナル・コンピュータ・フェールセーフ保護デバイス。
【発明の詳細な説明】
【技術分野】
【０００１】
本発明は、概してコンピュータに、より明確には、休止時にパーソナル・コンピュータに接続する通信回線へのアクセスを遮断し、他者が承認なくコンピュータにアクセスすることを防止するデバイスに関する。
【０００２】
（本発明の開示）
本発明は、概してコンピュータに、より明確には、休止時にパーソナル・コンピュータに接続する通信回線へのアクセスを遮断し、他者が承認なくコンピュータにアクセスすることを防止するデバイスに関する。
【０００３】
パーソナル・コンピュータ・フェールセーフ保護デバイスが、本発明によって述べられる。この保護デバイスは、パワー・ダウン期間において、通信チャネルとコンピュータ・システムとの接続を切断する。パーソナル・コンピュータ・フェールセーフ保護デバイスは、コンピュータ・システムによって生じる電圧を検知する電圧センサ、通信チャネルに接続する入力ポート、入力ポートをコンピュータ・システムの通信チャネル入力へと接続する出力ポート、そして入力ポート及び出力ポート間を接続するリレーを含む。生じる電圧が閾値に達しておらず、またコンピュータ・システムがパワー・ダウンすなわちスリープ・モードであるとセンサが検知する時、リレーは、選択的に入力ポート及び出力ポートと接続を切断する。デバイスは、第１、第２、第３入力ポート、そしてこれらのポートに対応する第１、第2、第3出力ポート、第1、第2、第3リレーを含むことが好ましい。この各リレーは、入力及び出力ポートの各対間で接続する。この第1入力ポート及び第1出力ポートは、ケーブル・コネクタであることが好ましい。第2入力ポート及び第2出力ポートは、ｘＤＳＬコネクタであることが好ましい。第3入力ポート及び第3出力ポートは、電話コネクタであることが好ましい。このデバイスはまた、常に電源がオンとなっている電話/ＦＡＸを含む。手動オーバーライド・スイッチは、手動でリレーをトリガーするために設けられる。センサもまた、1日のうちの所定の時間、前記入力及び出力ポートを接続するためにリレーをトリガーする。これにより、ユーザは、1日のうちの所定の時間において、通信チャネルを介してコンピュータ・システムと接触することが可能となる。
【０００４】
上述及び関連する目的の達成のために、本発明は、添付図面に示される形式で実施されることが可能である。しかしながら、図面は一例に過ぎず、添付の請求項の範囲内において図示され、述べられる特定の構成においての変化も可能であることを注意されたい。
【発明を実施するための最良の形態】
【０００５】
添付図面と併せて考慮される時によりよく理解できるのと同じように、本発明の多様な他の目的、特徴及び付随する利点はより十分な理解の助けとなる。複数の図面を通じて、同様の参照符号及び文字は、同じか若しくは類似の部分を示す。
図面について参照する。類似の参照符号及び文字は、複数の図面を通じて、類似要素を表す。図１から図６は、符号１０によって示される本発明のパーソナル・コンピュータ・フェールセーフ保護デバイスを図示する。
【０００６】
パーソナル・コンピュータ・フェールセーフ保護デバイス１０は、図１に示され、ハウジング１２を含む。図１から、ハウジング１２の第1面１４、上面１６が明らかに視認できる。第1面１４は、ケーブル線と接続するケーブル入力コネクタ１８、高速ＤＳＬ線と接続するｘＤＳＬ入力コネクタ２０、電話回線と接続するモデム線コネクタ２２を含む。
【０００７】
コンピュータ・モニタのためのＡＣ入力２４、ライン電源オーバーライド・スイッチ２６、ＡＣ電源スイッチ２８は、上面１６上にある。ＡＣ入力２４は、電力をモニタへと供給し、モニタによって生じる電圧量を検知するため、コンピュータ（図示せず）のモニタと接続して設けられる。ライン電源スイッチ２６は、手動でこの出力とケーブル・コネクタ１８、ｘＤＳＬコネクタ２０、モデム・ライン・コネクタ２２との接続を切断するために設けられる。ＡＣ電源スイッチ２８は、パーソナル・コンピュータ・フェールセーフ保護デバイス１０のオン及びオフ・モードを切り替える。インジケータ・ライト３０は、点灯時はパーソナル・コンピュータ・フェールセーフ保護デバイス１０がオン・モードであるとユーザに視覚的表示を提供する。
【０００８】
ＡＣ電源と接続する電源コード３４は、ハウジング１２の他面３２から延設している。コンピュータのケーブル入力ポートと接続するケーブル出力コネクタ３８、コンピュータのＤＳＬ入力コネクタと接続するｘＤＳＬ出力コネクタ４０、コンピュータのモデム線入力と接続するモデム線コネクタ４２が、ハウジングの第2面３６に透視状態で示される。電話/ＦＡＸコネクタ４４がまた第2面３６上に提供される。
【０００９】
パーソナル・コンピュータ・フェールセーフ保護デバイス１０の上面図が、図2に示される。この図から、上面が明白に示される。ＡＣ入力２４が上面に示される。このＡＣ入力は、コンピュータ・モニタ、ライン電源オーバーライド・スイッチ２６、ＡＣ電源スイッチ２８と接続し、且つこれらに電力を供給する。このライン電源オーバーライド・スイッチ２６は、ケーブル出力コネクタ３８とケーブル入力１８との、ｘＤＳＬ出力４０とｘＤＳＬ入力２０との、モデム出力４２とモデム入力２２との接続を切断する。ＡＣ電源スイッチは、モニタに電力を供給するオン及びモニタへの電力の供給を断つオフの切り替えが可能である。インジケータ・ライト３０は、パーソナル・コンピュータ・フェールセーフ保護デバイス１０の操作モードを示す視覚的信号を提供する。ケーブル入力コネクタ１８、ｘＤＳＬ入力コネクタ２０、モデム線コネクタ２２が第1面１４上に提供される。ケーブル出力コネクタ３８、ｘＤＳＬ出力コネクタ４０、モデム線コネクタ４２、外部の電話もしくはＦＡＸと接続する電話/ＦＡＸ接続４４が第２面３６上に提供される。ＡＣ電源コードが、1面３２から延設して示される。このＡＣ電源コードは、パーソナル・コンピュータ・フェールセーフ保護デバイス１０に電力を提供し、すべての構成要素はこの装置に接続する。
【００１０】
パーソナル・コンピュータ・フェールセーフ保護デバイス１０におけるハウジング１２の第1面１４が、図３に示される。この図は、ケーブル入力コネクタ１８、ｘＤＳＬ入力コネクタ２０、モデム線コネクタ２２を示す。上面１６上に、モニタに接続するＡＣ入力２４及びインジケータ・ライト３０が、上面から延設して示される。ＡＣ電源コード３４は、ハウジング１２の側面から延設して示される。
【００１１】
パーソナル・コンピュータ・フェールセーフ保護デバイス１０におけるハウジング１２の第２面３６が、図４に示される。この図は、ケーブル出力コネクタ３８、ｘＤＳＬ出力コネクタ４０、モデム線出力コネクタ４２、電話/ＦＡＸコネクタ４４を示す。上面１６上に、モニタと接続するＡＣ入力２４及びインジケータ・ライト３０が、上面から延設して示される。ＡＣ電源コード３４は、ハウジング１２の側面から延設して示される。
【００１２】
モニタの電源消費を検知するのに使用されるパーソナル・コンピューター・フェールセーフ保護デバイス１０のブロック・ダイアグラムは、図５に示される。
この図から解るように、モニタのＡＣ入力は、電圧センサ４８を介して、電源４６へ連結される。
電圧センサ４８は、ＡＣ電源４６からの電源を受取る為、連結されたモニタにより引出された電圧量を検知する。電圧センサ４８は、第１リレー５０、第２リレー５２、そして第３リレー５４に連結される。
第１リレー５０は、ケーブル入力コネクタ１８とケーブル出力コネクタ３８との間に連結される。第２リレー５２は、ｘＤＳＬ入力２０とｘＤＳＬ出力４０との間に連結される。第３リレーは、モデム入力ポート２２とモデム出力ポート４２との間に連結される。
手動オーバーライド・スイッチ２６もまた、第１、第２、及び第３リレー、５０，５２、及び５４にそれぞれ連結される。
第１リレー５０は、電圧センサ４８が、モニタにかかっている電圧が所定の閾値電圧より下であることを検知すると、すぐに電圧センサ４８によりトリガされ、ケーブル入力コネクタ１８とケーブル出力コネクタ３８との接続を断つ。
第２リレー５２は、電圧センサ４８が、モニタにかかっている電圧が所定の閾値電圧より下であることを検知すると、すぐに電圧センサ４８によりトリガされ、ｘＤＳＬ入力２０とｘＤＳＬ出力４０との接続を断つ。
第３リレー５４は、電圧センサ４８が、モニタにかかっている電圧が所定の閾値電圧より下であることを検知すると、すぐに電圧センサ４８によりトリガされ、モデム入力ポート２２とモデム出力ポート４２との接続を断つ。
手動オーバーライド・スイッチ２６は、出力ポートから入力ポートへの接続を断つ為、第１、第２、及び第３リレー、５０，５２、及び５４、それぞれをトリガさせる。
電話/ＦＡＸポート４４は、モデム入力ポート２２を介して、電話線に接続され、常に使用可能である。電話/ＦＡＸポートの操作は、第３リレースイッチ５４のトリガにより、制御されるものではない。
【００１３】
１つのコンピュータ・システム５６により生じた電圧をモニタするのに使用されるパーソナル・コンピューター・フェールセーフ保護デバイス１０のブロック・ダイアグラムは、図６に示される。
この図から理解されるように、ＡＣ電源４６は、電源ケーブル３４を介して、パーソナル・コンピューター・フェールセーフ保護デバイス１０へと電源を供給する為、接続される。
電圧センサ４８は、電源ケーブル３４とＡＣ電源出力アウトレット２４との間に接続される。
１つのコンピュータ・システム５６のプロセッサ５８は、ＡＣ電源出力アウトレット２４を介して、電力を受け取る為、接続される。
マイクロプロセッサ５８は、メモリ６０及び１つのコンピュータ・システム５６の他の、使用可能な要素に接続される。
電圧センサ４８は、１つのコンピュータ・システム５６から生じた電圧量を検知する。電圧センサ４８は、第１リレー５０、第２リレー５２、そして第３リレー５４に連結される。
第１リレー５０は、ケーブル入力コネクタ１８とケーブル出力コネクタ３８との間に連結される。第２リレー５２は、ｘＤＳＬ入力２０とｘＤＳＬ出力４０との間に連結される。第３リレー５４は、モデム入力ポート２２とモデム出力ポート４２との間に連結される。
手動オーバーライド・スイッチ２６は、また、第１、第２、及び第３リレー、５０，５２、及び５４に、それぞれ連結される。
第１リレー５０は、電圧センサ４８が、１つのコンピュータ・システム５６にかかっている電圧が所定の閾値電圧より下であることを検知すると、すぐに電圧センサ４８によりトリガされ、ケーブル入力コネクタ１８とケーブル出力コネクタ３８との接続を断つ。
第２リレー５２は、電圧センサ４８が、１つのコンピュータ・システム５６にかかっている電圧が所定の閾値電圧より下であることを検知すると、すぐに電圧センサ４８によりトリガされ、ｘＤＳＬ入力２０とｘＤＳＬ出力４０との接続を断つ。
第３リレー５４は、電圧センサ４８が、１つのコンピュータ・システム５６にかかっている電圧が所定の閾値電圧より下であることを検知すると、すぐに電圧センサ４８によりトリガされ、モデム入力ポート２２とモデム出力ポート４２との接続を断つ。
手動オーバーライド・スイッチ２６は、出力ポートから入力ポートへの接続を断つ為、第１、第２、及び第３リレー、５０，５２、及び５４、それぞれをトリガさせる。
電話/ＦＡＸポート４４は、モデム入力ポート２２を介して、電話線に接続され、常に使用可能である。電話/ＦＡＸポートの操作は、第３リレースイッチ５４のトリガにより、制御されるものではない。
【００１４】
パーソナル・コンピューター・フェールセーフ保護デバイス１０の操作に関して、図を参照して説明する。
操作中において、パーソナル・コンピューター・フェールセーフ保護デバイス１０は、コンピュータ・システムのモニタ、若しくは、１つのコンピュータ・システム５６に連結される。これにより、パーソナル・コンピューター・フェールセーフ保護デバイス１０は、引き起こされる電力量を測定するのに用いられる。
パーソナル・コンピューター・フェールセーフ保護デバイス１０は、モニタ、若しくは、ＡＣ電源出力アウトレット２４における１つのコンピュータ・システム５６の双方からの電源コードを受ける。
所望の通信チャネル、ケーブル、ｘＤＳＬ、モデム、その他は、その後、パーソナル・コンピューター・フェールセーフ保護デバイス１０において、それぞれの入力ポートに連結される。
ケーブルは、それから、使用される通信チャネルの所望する形式に対応する出力ポートに連結される。
他方のケーブル末端は、対応するコンピュータ・システムの通信ポート、若しくは、１つのコンピュータ・システム５６に連結される。
電源コード３４は、その後、電源４６に連結され、パーソナル・コンピューター・フェールセーフ保護デバイス１０は、操作の準備が整う。
【００１５】
操作中、電源スイッチ２８は、スイッチオンされ、パーソナル・コンピューター・フェールセーフ保護デバイス１０を操作モードにする。
コンピュータ・システム及びモニタ、若しくは１つのコンピュータ・システム５６も、また操作モードとされる。
電圧センサ４８は、続けて、電圧がコンピュータ・システムから生じる時期を測定する為、モニタ若しくは１つのコンピュータ・システム５６へと供給される電圧を検知する。そして、モニタ若しくは１つのコンピュータ・システム５６は、予め決定された値以下となる。
【００１６】
モニタが予め決定された期間、活動していない状態である時、モニタはスリープ・モードとなる。
スリープ・モードにおいては、モニタに電源を供給するのに必要な電圧を、最小限度にまで減少させ、モニタ不使用時のエネルギー節約にもつながる。
さらに、モニタもしくは１つのコンピュータ・システム５６の電源がＯＦＦとなっている時、そこで使用される電圧は最小となる。この間、通信ライン、例えば、ケーブル線、ｘＤＳＬ線及びモデム線は、未だに、通信チャネル上に存する電源により、電力を供給される。
この時、ハッカーは、通信チャネル上に存する電源により、これらの通信・チャネルを介して、コンピュータ・システムに侵入し得る。
モニタもしくはコンピューターの電源がＯＦＦ、若しくはスリープ状態の時、ハッカーがコンピュータ・システムに侵入する可能性を防止する為、コンピュータ・システムへの入力ポートはシステムから隔離されていなければならない。
【００１７】
電圧センサ４８は、モニタ、若しくは、１つのコンピュータ・システム５６から生じる電圧が、スリープ状態や、システムの電源ＯＦＦ時などのような、閾値以下にまで落ちたことを検知する時、電圧センサは、第１、第２、及び第３リレー、５０，５２、及び５４、それぞれをトリガさせる。
第１リレーのトリガは、ケーブル入力コネクタ１８と、ケーブル出力コネクタ３８との接続を断つ。それによって、ケーブル線からコンピュータ・システムを隔離する。
第２リレー５２のトリガは、ｘＤＳＬ入力コネクタ２０と、ｘＤＳＬ出力コネクタ４０との接続を断つ。それによって、ｘＤＳＬ線からコンピュータ・システムを隔離する。
第３リレー５４のトリガは、モデム入力ポート２２と、モデム出力ポート４２との接続を断つ。それによって、モデム線からコンピュータ・システムを隔離する。
電話/ＦＡＸポート４４は、電話線に接続され、常に使用可能である。
【００１８】
代わりに、使用者は、手動オーバーライド・スイッチ２６を作動させることにより、手動で、通信チャネルからコンピュータ・システムを切断することができる。
手動オーバーライド・スイッチ２６は、第１、第２、及び第３リレーと接続して、各リレーを作動するようトリガする。
手動作動スイッチ４８によってトリガすると、第１リレーは、ケーブル入力コネクタ１８と、ケーブル出力コネクタ３８との接続を断ち、それによって、ケーブル線からコンピュータ・システムを隔離する。第２リレー５２は、ｘＤＳＬ入力コネクタ２０と、ｘＤＳＬ出力コネクタ４０との接続を断ち、それによって、ｘＤＳＬ線からコンピュータ・システムを隔離する。そして、第３リレー５４は、モデム出力ポート２２と、モデム出力ポート４２との接続を断ち、それによって、モデム線からコンピュータ・システムを隔離する。
【００１９】
電圧センサ４８が、モニタ若しくは１つのコンピュータ・システム５６から生じる電圧が、閾値以上となるのを検知する時、第１、第２、及び第３リレー、５０，５２、及び５４は、再度、それぞれについて、トリガされる。
トリガされた際、第１リレーは、ケーブル入力コネクタ１８を、ケーブル出力コネクタ３８へと再接続し、それによって、コンピュータ・システムと、ケーブル線とを再接続する。
第２リレー５２は、ｘＤＳＬ入力コネクタ２０を、ｘＤＳＬ出力コネクタ４０へと再接続し、それによって、コンピュータ・システムと、ｘＤＳＬ線とを再接続する。
そして、第３リレー５４は、モデム入力ポート２２を、モデム出力ポート４２へと再接続し、それによって、コンピュータ・システムと、モデム線とを再接続する。
【００２０】
電圧センサ４８は、第１、第２、及び第３リレー、５０、５２、及び５４のそれぞれをトリガし、予め定められた期間、コンピュータ・システム若しくは１つのコンピュータ・システム５６への、ケーブル、ｘＤＳＬ、及び/又はモデム線へとつなぎ、使用者がコンピュータ・システム若しくは１つのコンピュータ・システム５６へアクセスするのを容易とする。
こうして、ユーザは、所定期間に、コンピューターに接続できる。その時間は、コンピュータ・システム内に蓄積されたデータを取得しようとする、他人には知られない。
期間の満了において、電圧センサ４８は、第１、第２、及び第３リレー、５０，５２、及び５４を、コンピュータ・システム若しくは１つのコンピュータ・システム５６からケーブル、ｘＤＳＬ、及び/又はモデム線を断線する為、それぞれ、再トリガさせる。
【００２１】
上述の如く、本発明に係るパーソナルコンピュータ・フェールセーフ保護デバイスは、従来の装置の欠点を克服する。該パーソナルコンピュータ・フェールセーフ保護デバイスは、パーソナルコンピュータ或いは１つのプロセッサ・モニタ・システムをケーブル、ＤＳＬ及び通常のモデム／電話線から切断する。このとき、コンピュータはモニタの電圧を検知することによってオフ状態とされる。該電圧は、モニタがスリープ・モードに入ったか否かを定める。モニタがスリープ・モードに入ったとき或いはオフ状態とされるとすぐに、パーソナルコンピュータはケーブル、ＤＳＬ及び一般のモデム／電話線から切断される。パーソナルコンピュータ・フェールセーフ保護デバイスは、ケーブル、ＤＳＬ及び通常のモデム／電話線のための入力及び出力ポートを備え、また電話やファクシミリへ接続するための追加の出力ポートを備える。電話やファクシミリへの接続は、ケーブル、ＤＳＬ及び通常のモデム／電話線がデバイスによって切断されているときにおいても、動作可能である。パーソナルコンピュータ・デバイスは１日のうちの予め定められた特定期間においてコンピュータにアクセスすることを可能とする。これによって、ユーザは所定の時間帯にコンピュータと接触することが可能となる。更に、本発明のパーソナルコンピュータ・フェールセーフ保護デバイスは、簡便且つ容易に、使用可能であり、経済的に製造可能である。
【００２２】
上述の各要素、或いは２つ或いはそれ以上の要素が上記説明と異なる方法の形態として有用に応用可能である。
【００２３】
本発明の一部の新規な形態が示され説明され、従属請求項で示されてきたが、上記の詳細部分に限定されるものではなく、上述の形態や詳細において様々な省略、改造、代用及び変更がなされうる。またそのような変更等の所作は本発明の要旨を変更することなく当業者にとって容易になされうる。
【００２４】
更なる説明をすることなしに、上記説明は本発明の要旨を完全に現している。したがって、現在の知識を以って、従来技術を用いて、本発明の全体的或いは特定の部分の必要不可欠な特徴を作り出す形態を省略することなしに、他者が様々な応用形態を実施することが可能である。
【図面の簡単な説明】
【００２５】
【図１】本発明のパーソナル・コンピュータ・フェールセーフ保護デバイスの上部斜視図である。
【図２】本発明のパーソナル・コンピュータ・フェールセーフ保護デバイスの正面図である。
【図３】本発明のパーソナル・コンピュータ・フェールセーフ保護デバイスの上面図である。
【図４】本発明のパーソナル・コンピュータ・フェールセーフ保護デバイスの底面図である。
【図５】モニタの電圧を検知する本発明のパーソナル・コンピュータ・フェールセーフ保護デバイスを形成する要素を図示するブロック図である。
【図６】単一ユニットのプロセッサ及びモニタを含む１つのコンピュータ・システムに接続する本発明のパーソナル・コンピュータ・フェールセーフ保護デバイスを形成する要素を示すブロック図である。
【符号の説明】
【００２６】
１０  本発明のパーソナル・コンピュータ・フェールセーフ保護デバイス
１２  ハウジング
１４  上面
１６  前面
１８  ケーブル・コネクタ
２０  ｘＤＳＬコネクタ
２２  モデム線コネクタ
２４  ＡＣ入力
２６  ライン電源オーバーライド・スイッチ
２８  ＡＣ電源スイッチ
３０  インジケータ・ライト
３２  ハウジングの他面
３４  電源コード
３６  ハウジング第2面
３８  ケーブル出力コネクタ
４０  ｘＤＳＬ出力コネクタ
４２  モデム線コネクタ
４４  電話/ＦＡＸコネクタ
４６  ＡＣ電源装置
４８  電圧センサ
５０  第1リレー
５２  第2リレー
５４  第3リレー
５６  コンピュータ・システム
５８  コンピュータ・システム・マイクロプロセッサ
６０  メモリ
【図１】
2005518044.tif 000003
【図２】
2005518044.tif 000004
【図３】
2005518044.tif 000005
【図４】
2005518044.tif 000006
【図５】
2005518044.tif 000007
【図６】
2005518044.tif 000008
【手続補正書】
【提出日】平成15年12月20日(2003.12.20)
【手続補正１】
【補正対象書類名】特許請求の範囲
【補正対象項目名】全文
【補正方法】変更
【補正の内容】
【特許請求の範囲】
【請求項１】
パワーダウン中に通信チャネルからコンピュータ・システムを切り離すためのパーソナル・コンピュータ・フェールセーフ保護デバイスであって、
前記パーソナル・コンピュータ・フェールセーフ保護デバイスが、
（ａ）前記コンピュータ・システムから引出される電圧を検知する手段と、
（ｂ）通信チャネルと接続するための入力ポートと、
（ｃ）前記コンピュータ・システムの通信チャネル入力へ前記入力ポートを接続するための出力ポートと、
（ｄ）前記入力ポートと出力ポート間を接続するとともに、前記引出された電圧が、前記コンピュータ・システムがパワーダウン若しくはスリープ状態にあることを指し示す閾値以下となっていることを前記検知手段が検知するとすぐに、前記入力ポートと出力ポートを選択的に切断するリレーを備えることを特徴とするパーソナル・コンピュータ・フェールセーフ保護デバイス。
【請求項２】
前記入力及び出力ポートがケーブルコネクタであり、
前記入力ポートがケーブル線に接続可能であることを特徴とする請求項１記載のパーソナル・コンピュータ・フェールセーフ保護デバイス。
【請求項３】
前記入力及び出力ポートがｘＤＳＬであり、
前記入力ポートがｘＤＳＬ線に接続可能であることを特徴とする請求項１記載のパーソナル・コンピュータ・フェールセーフ保護デバイス。
【請求項４】
前記入力及び出力ポートが電話コネクタであり、
前記入力ポートが電話線に接続可能であることを特徴とする請求項１記載のパーソナル・コンピュータ・フェールセーフ保護デバイス。
【請求項５】
前記デバイスが、第１、第２及び第３入力ポートと、
対応する第１、第２及び第３出力ポートと、
対応する第１、第２及び第３リレーを備え、
各リレーが入力及び出力ポートのそれぞれの対の間で接続されることを特徴とする請求項１記載のパーソナル・コンピュータ・フェールセーフ保護デバイス。
【請求項６】
前記第１入力及び第１出力ポートがケーブルコネクタであり、
前記第２入力及び第２出力ポートがｘＤＳＬコネクタであり、
前記第３入力及び第３出力ポートが電話コネクタであることを特徴とする請求項５記載のパーソナル・コンピュータ・フェールセーフ保護デバイス。
【請求項７】
電話／ファクシミリ・コネクタを更に備え、
該電話／ファクシミリ・コネクタが、前記デバイスがオン状態にあるときは常に電源が入っている状態であることを特徴とする請求項６記載のパーソナル・コンピュータ・フェールセーフ保護デバイス。
【請求項８】
手動オーバーライド・スイッチを更に備え、
該スイッチが、前記入力及び出力ポートを切断するための前記リレーを手動でトリガすることを特徴とする請求項１記載のパーソナル・コンピュータ・フェールセーフ保護デバイス。
【請求項９】
手動オーバーライド・スイッチを更に備えるとともに、該スイッチが、前記第１、第２及び第３入力ポートを前記第１、第２及び第３出力ポートからそれぞれ切断するための前記リレーを手動でトリガすることを特徴とする請求項５記載のパーソナル・コンピュータ・フェールセーフ保護デバイス。
【請求項１０】
前記検知手段が、コンピュータ・システムのモニタによって引出された電圧を検知することを特徴とする請求項９記載のパーソナル・コンピュータ・フェールセーフ保護デバイス。
【請求項１１】
前記検知手段が前記入力及び出力ポートを１日のうち所定の時間接続するための前記リレーをトリガし、
前記１日のうちの所定の時間通信チャネルを介して、ユーザが前記コンピュータ・システムを使用することが可能となることを特徴とする請求項１記載のパーソナル・コンピュータ・フェールセーフ保護デバイス。
【請求項１２】
前記デバイスが電源と接続されるとともに、前記コンピュータ・システムとの接続及び電力供給のための電力アウトレットを備え、
前記検知手段が、前記コンピュータ・システムによって使用される電圧量を検知することを特徴とする請求項１記載のパーソナル・コンピュータ・フェールセーフ保護デバイス。
【請求項１３】
前記デバイスが電源と接続されるとともに、前記コンピュータ・システムとの接続及び電力供給のための電力アウトレットを備え、
前記検知手段が、前記モニタによって使用される電圧量を検知することを特徴とする請求項１１記載のパーソナル・コンピュータ・フェールセーフ保護デバイス。
【請求項１４】
非可動時の所定時間の後のスリープ・モードに入るとすぐに、モニタが必要とされる電圧量を低減し、
該低減された必要電圧量が、前記検知手段が前記入力ポートと出力ポートを切断するリレーをトリガすることが可能な値であることを特徴とする請求項１記載のパーソナル・コンピュータ・フェールセーフ保護デバイス。
【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
パワーダウン中に通信チャネルからコンピュータ・システムを切り離すためのパーソナル・コンピュータ・フェールセーフ保護デバイスであって、
前記パーソナル・コンピュータ・フェールセーフ保護デバイスが、
（ａ）前記コンピュータ・システムから引出される電力を検知する手段と、
（ｂ）通信チャネルと接続するための入力ポートと、
（ｃ）前記コンピュータ・システムの通信チャネル入力へ前記入力ポートを接続するための出力ポートと、
（ｄ）前記入力ポートと出力ポート間を接続するとともに、前記引出された電力が閾値以下となっていることを、前記検知手段が検知するとすぐに、前記入力ポートと出力ポートを選択的に切断するリレーを備えることを特徴とするパーソナル・コンピュータ・フェールセーフ保護デバイス。
【請求項２】
前記入力及び出力ポートがケーブルコネクタであり、
前記入力ポートがケーブル線に接続可能であることを特徴とする請求項１記載のパーソナル・コンピュータ・フェールセーフ保護デバイス。
【請求項３】
前記入力及び出力ポートがｘＤＳＬであり、
前記入力ポートがｘＤＳＬ線に接続可能であることを特徴とする請求項１記載のパーソナル・コンピュータ・フェールセーフ保護デバイス。
【請求項４】
前記入力及び出力ポートが電話コネクタであり、
前記入力ポートが電話線に接続可能であることを特徴とする請求項１記載のパーソナル・コンピュータ・フェールセーフ保護デバイス。
【請求項５】
前記デバイスが、第１、第２及び第３入力ポートと、
対応する第１、第２及び第３出力ポートと、
対応する第１、第２及び第３リレーを備え、
各リレーが入力及び出力ポートのそれぞれの対の間で接続されることを特徴とする請求項１記載のパーソナル・コンピュータ・フェールセーフ保護デバイス。
【請求項６】
前記第１入力及び第１出力ポートがケーブルコネクタであり、
前記第２入力及び第２出力ポートがｘＤＳＬコネクタであり、
前記第３入力及び第３出力ポートが電話コネクタであることを特徴とする請求項５記載のパーソナル・コンピュータ・フェールセーフ保護デバイス。
【請求項７】
電話／ファクシミリ・コネクタを更に備え、
該電話／ファクシミリ・コネクタが、前記デバイスがオン状態にあるときは常に電源が入っている状態であることを特徴とする請求項６記載のパーソナル・コンピュータ・フェールセーフ保護デバイス。
【請求項８】
手動オーバーライド・スイッチを更に備え、
該スイッチが、前記入力及び出力ポートを切断するための前記リレーを手動でトリガすることを特徴とする請求項１記載のパーソナル・コンピュータ・フェールセーフ保護デバイス。
【請求項９】
手動オーバーライド・スイッチを更に備えるとともに、該スイッチが、前記第１、第２及び第３入力ポートを前記第１、第２及び第３出力ポートからそれぞれ切断するための前記リレーを手動でトリガすることを特徴とする請求項５記載のパーソナル・コンピュータ・フェールセーフ保護デバイス。
【請求項１０】
前記検知手段が、コンピュータ・システムのモニタによって引出された電力を検知することを特徴とする請求項９記載のパーソナル・コンピュータ・フェールセーフ保護デバイス。
【請求項１１】
前記検知手段が前記入力及び出力ポートを１日のうち所定の時間接続するための前記リレーをトリガし、
前記１日のうちの所定の時間通信チャネルを介して、ユーザが前記コンピュータ・システムを使用することが可能となることを特徴とする請求項１記載のパーソナル・コンピュータ・フェールセーフ保護デバイス。
【請求項１２】
前記デバイスが電源と接続されるとともに、前記コンピュータ・システムとの接続及び電力供給のための電力アウトレットを備え、
前記検知手段が、前記コンピュータ・システムによって使用される電力量を検知することを特徴とする請求項１記載のパーソナル・コンピュータ・フェールセーフ保護デバイス。
【請求項１３】
前記デバイスが電源と接続されるとともに、前記コンピュータ・システムとの接続及び電力供給のための電力アウトレットを備え、
前記検知手段が、前記モニタによって使用される電力量を検知することを特徴とする請求項１１記載のパーソナル・コンピュータ・フェールセーフ保護デバイス。
【請求項１４】
非可動時の所定時間の後のスリープ・モードに入るとすぐに、モニタが必要とされる電圧量を低減し、
該低減された必要電力量が、前記検知手段が前記入力ポートと出力ポートを切断するリレーをトリガすることが可能な値であることを特徴とする請求項１記載のパーソナル・コンピュータ・フェールセーフ保護デバイス。
【手続補正２】
【補正対象書類名】明細書
【補正対象項目名】全文
【補正方法】変更
【補正の内容】
【発明の詳細な説明】
【技術分野】
【０００１】
本発明は、概してコンピュータに、より明確には、休止時にパーソナル・コンピュータに接続する通信回線へのアクセスを遮断し、他者が承認なくコンピュータにアクセスすることを防止するデバイスに関する。
【０００２】
（本発明の開示）
本発明は、概してコンピュータに、より明確には、休止時にパーソナル・コンピュータに接続する通信回線へのアクセスを遮断し、他者が承認なくコンピュータにアクセスすることを防止するデバイスに関する。
【０００３】
パーソナル・コンピュータ・フェールセーフ保護デバイスが、本発明によって述べられる。この保護デバイスは、パワー・ダウン期間において、通信チャネルとコンピュータ・システムとの接続を切断する。パーソナル・コンピュータ・フェールセーフ保護デバイスは、コンピュータ・システムによって生じる電力量を検知する電力センサ、通信チャネルに接続する入力ポート、入力ポートをコンピュータ・システムの通信チャネル入力へと接続する出力ポート、そして入力ポート及び出力ポート間を接続するリレーを含む。消費される電力が閾値に達しておらず、またコンピュータ・システムがパワー・ダウンすなわちスリープ・モードであるとセンサが検知する時、リレーは、選択的に入力ポート及び出力ポートと接続を切断する。デバイスは、第１、第２、第３入力ポート、そしてこれらのポートに対応する第１、第2、第3出力ポート、第1、第2、第3リレーを含むことが好ましい。この各リレーは、入力及び出力ポートの各対間で接続する。この第1入力ポート及び第1出力ポートは、ケーブル・コネクタであることが好ましい。第2入力ポート及び第2出力ポートは、ｘＤＳＬコネクタであることが好ましい。第3入力ポート及び第3出力ポートは、電話コネクタであることが好ましい。このデバイスはまた、常に電源がオンとなっている電話/ＦＡＸを含む。手動オーバーライド・スイッチは、手動でリレーをトリガーするために設けられる。センサもまた、1日のうちの所定の時間、前記入力及び出力ポートを接続するためにリレーをトリガーする。これにより、ユーザは、1日のうちの所定の時間において、通信チャネルを介してコンピュータ・システムと接触することが可能となる。
【０００４】
上述及び関連する目的の達成のために、本発明は、添付図面に示される形式で実施されることが可能である。しかしながら、図面は一例に過ぎず、添付の請求項の範囲内において図示され、述べられる特定の構成においての変化も可能であることを注意されたい。
【発明を実施するための最良の形態】
【０００５】
添付図面と併せて考慮される時によりよく理解できるのと同じように、本発明の多様な他の目的、特徴及び付随する利点はより十分な理解の助けとなる。複数の図面を通じて、同様の参照符号及び文字は、同じか若しくは類似の部分を示す。
図面について参照する。類似の参照符号及び文字は、複数の図面を通じて、類似要素を表す。図１から図６は、符号１０によって示される本発明のパーソナル・コンピュータ・フェールセーフ保護デバイスを図示する。
【０００６】
パーソナル・コンピュータ・フェールセーフ保護デバイス１０は、図１に示され、ハウジング１２を含む。図１から、ハウジング１２の第1面１４、上面１６が明らかに視認できる。第1面１４は、ケーブル線と接続するケーブル入力コネクタ１８、高速ＤＳＬ線と接続するｘＤＳＬ入力コネクタ２０、電話回線と接続するモデム線コネクタ２２を含む。
【０００７】
コンピュータ・モニタのためのＡＣ入力２４、ライン電源オーバーライド・スイッチ２６、ＡＣ電源スイッチ２８は、上面１６上にある。ＡＣ入力２４は、電力をモニタへと供給し、モニタによって消費される電力量を検知するため、コンピュータ（図示せず）のモニタと接続して設けられる。ライン電源スイッチ２６は、手動でこの出力とケーブル・コネクタ１８、ｘＤＳＬコネクタ２０、モデム・ライン・コネクタ２２との接続を切断するために設けられる。ＡＣ電源スイッチ２８は、パーソナル・コンピュータ・フェールセーフ保護デバイス１０のオン及びオフ・モードを切り替える。インジケータ・ライト３０は、点灯時はパーソナル・コンピュータ・フェールセーフ保護デバイス１０がオン・モードであるとユーザに視覚的表示を提供する。
【０００８】
ＡＣ電源と接続する電源コード３４は、ハウジング１２の他面３２から延設している。コンピュータのケーブル入力ポートと接続するケーブル出力コネクタ３８、コンピュータのＤＳＬ入力コネクタと接続するｘＤＳＬ出力コネクタ４０、コンピュータのモデム線入力と接続するモデム線コネクタ４２が、ハウジングの第2面３６に透視状態で示される。電話/ＦＡＸコネクタ４４がまた第2面３６上に提供される。
【０００９】
パーソナル・コンピュータ・フェールセーフ保護デバイス１０の上面図が、図2に示される。この図から、上面が明白に示される。ＡＣ入力２４が上面に示される。このＡＣ入力は、コンピュータ・モニタ、ライン電源オーバーライド・スイッチ２６、ＡＣ電源スイッチ２８と接続し、且つこれらに電力を供給する。このライン電源オーバーライド・スイッチ２６は、ケーブル出力コネクタ３８とケーブル入力１８との、ｘＤＳＬ出力４０とｘＤＳＬ入力２０との、モデム出力４２とモデム入力２２との接続を切断する。ＡＣ電源スイッチは、モニタに電力を供給するオン及びモニタへの電力の供給を断つオフの切り替えが可能である。インジケータ・ライト３０は、パーソナル・コンピュータ・フェールセーフ保護デバイス１０の操作モードを示す視覚的信号を提供する。ケーブル入力コネクタ１８、ｘＤＳＬ入力コネクタ２０、モデム線コネクタ２２が第1面１４上に提供される。ケーブル出力コネクタ３８、ｘＤＳＬ出力コネクタ４０、モデム線コネクタ４２、外部の電話もしくはＦＡＸと接続する電話/ＦＡＸ接続４４が第２面３６上に提供される。ＡＣ電源コードが、1面３２から延設して示される。このＡＣ電源コードは、パーソナル・コンピュータ・フェールセーフ保護デバイス１０に電力を提供し、すべての構成要素はこの装置に接続する。
【００１０】
パーソナル・コンピュータ・フェールセーフ保護デバイス１０におけるハウジング１２の第1面１４が、図３に示される。この図は、ケーブル入力コネクタ１８、ｘＤＳＬ入力コネクタ２０、モデム線コネクタ２２を示す。上面１６上に、モニタに接続するＡＣ入力２４及びインジケータ・ライト３０が、上面から延設して示される。ＡＣ電源コード３４は、ハウジング１２の側面から延設して示される。
【００１１】
パーソナル・コンピュータ・フェールセーフ保護デバイス１０におけるハウジング１２の第２面３６が、図４に示される。この図は、ケーブル出力コネクタ３８、ｘＤＳＬ出力コネクタ４０、モデム線出力コネクタ４２、電話/ＦＡＸコネクタ４４を示す。上面１６上に、モニタと接続するＡＣ入力２４及びインジケータ・ライト３０が、上面から延設して示される。ＡＣ電源コード３４は、ハウジング１２の側面から延設して示される。
【００１２】
モニタの電源消費を検知するのに使用されるパーソナル・コンピューター・フェールセーフ保護デバイス１０のブロック・ダイアグラムは、図５に示される。
この図から解るように、モニタのＡＣ入力は、電力センサ４８を介して、電源４６へ連結される。
電力センサ４８は、ＡＣ電源４６からの電源を受取る為、連結されたモニタによって消費される電力を検知する。電力センサ４８は、第１リレー５０、第２リレー５２、そして第３リレー５４に連結される。
第１リレー５０は、ケーブル入力コネクタ１８とケーブル出力コネクタ３８との間に連結される。第２リレー５２は、ｘＤＳＬ入力２０とｘＤＳＬ出力４０との間に連結される。第３リレーは、モデム入力ポート２２とモデム出力ポート４２との間に連結される。
手動オーバーライド・スイッチ２６もまた、第１、第２、及び第３リレー、５０，５２、及び５４にそれぞれ連結される。
第１リレー５０は、電力センサ４８が、モニタにかかっている電力が所定の閾値電力より下であることを検知すると、すぐに電力センサ４８によりトリガされ、ケーブル入力コネクタ１８とケーブル出力コネクタ３８との接続を断つ。
第２リレー５２は、電力センサ４８が、モニタにかかっている電力が所定の閾値電力より下であることを検知すると、すぐに電力センサ４８によりトリガされ、ｘＤＳＬ入力２０とｘＤＳＬ出力４０との接続を断つ。
第３リレー５４は、電力センサ４８が、モニタにかかっている電力が所定の閾値電力より下であることを検知すると、すぐに電力センサ４８によりトリガされ、モデム入力ポート２２とモデム出力ポート４２との接続を断つ。
手動オーバーライド・スイッチ２６は、出力ポートから入力ポートへの接続を断つ為、第１、第２、及び第３リレー、５０，５２、及び５４、それぞれをトリガさせる。
電話/ＦＡＸポート４４は、モデム入力ポート２２を介して、電話線に接続され、常に使用可能である。電話/ＦＡＸポートの操作は、第３リレースイッチ５４のトリガにより、制御されるものではない。
【００１３】
１つのコンピュータ・システム５６により生じた電力をモニタするのに使用されるパーソナル・コンピューター・フェールセーフ保護デバイス１０のブロック・ダイアグラムは、図６に示される。
この図から理解されるように、ＡＣ電源４６は、電源ケーブル３４を介して、パーソナル・コンピューター・フェールセーフ保護デバイス１０へと電源を供給する為、接続される。
電力センサ４８は、電源ケーブル３４とＡＣ電源出力アウトレット２４との間に接続される。
１つのコンピュータ・システム５６のプロセッサ５８は、ＡＣ電源出力アウトレット２４を介して、電力を受け取る為、接続される。
マイクロプロセッサ５８は、メモリ６０及び１つのコンピュータ・システム５６の他の、使用可能な要素に接続される。
電力センサ４８は、１つのコンピュータ・システム５６から生じた電力量を検知する。電力センサ４８は、第１リレー５０、第２リレー５２、そして第３リレー５４に連結される。
第１リレー５０は、ケーブル入力コネクタ１８とケーブル出力コネクタ３８との間に連結される。第２リレー５２は、ｘＤＳＬ入力２０とｘＤＳＬ出力４０との間に連結される。第３リレー５４は、モデム入力ポート２２とモデム出力ポート４２との間に連結される。
手動オーバーライド・スイッチ２６は、また、第１、第２、及び第３リレー、５０，５２、及び５４に、それぞれ連結される。
第１リレー５０は、電力センサ４８が、１つのコンピュータ・システム５６にかかっている電力が所定の閾値電力より下であることを検知すると、すぐに電力センサ４８によりトリガされ、ケーブル入力コネクタ１８とケーブル出力コネクタ３８との接続を断つ。
第２リレー５２は、電力センサ４８が、１つのコンピュータ・システム５６にかかっている電力が所定の閾値電力より下であることを検知すると、すぐに電力センサ４８によりトリガされ、ｘＤＳＬ入力２０とｘＤＳＬ出力４０との接続を断つ。
第３リレー５４は、電力センサ４８が、１つのコンピュータ・システム５６にかかっている電力が所定の閾値電力より下であることを検知すると、すぐに電力センサ４８によりトリガされ、モデム入力ポート２２とモデム出力ポート４２との接続を断つ。
手動オーバーライド・スイッチ２６は、出力ポートから入力ポートへの接続を断つ為、第１、第２、及び第３リレー、５０，５２、及び５４、それぞれをトリガさせる。
電話/ＦＡＸポート４４は、モデム入力ポート２２を介して、電話線に接続され、常に使用可能である。電話/ＦＡＸポートの操作は、第３リレースイッチ５４のトリガにより、制御されるものではない。
【００１４】
パーソナル・コンピューター・フェールセーフ保護デバイス１０の操作に関して、図を参照して説明する。
操作中において、パーソナル・コンピューター・フェールセーフ保護デバイス１０は、コンピュータ・システムのモニタ、若しくは、１つのコンピュータ・システム５６に連結される。これにより、パーソナル・コンピューター・フェールセーフ保護デバイス１０は、引き起こされる電力量を測定するのに用いられる。
パーソナル・コンピューター・フェールセーフ保護デバイス１０は、モニタ、若しくは、ＡＣ電源出力アウトレット２４における１つのコンピュータ・システム５６の双方からの電源コードを受ける。
所望の通信チャネル、ケーブル、ｘＤＳＬ、モデム、その他は、その後、パーソナル・コンピューター・フェールセーフ保護デバイス１０において、それぞれの入力ポートに連結される。
ケーブルは、それから、使用される通信チャネルの所望する形式に対応する出力ポートに連結される。
他方のケーブル末端は、対応するコンピュータ・システムの通信ポート、若しくは、１つのコンピュータ・システム５６に連結される。
電源コード３４は、その後、電源４６に連結され、パーソナル・コンピューター・フェールセーフ保護デバイス１０は、操作の準備が整う。
【００１５】
操作中、電源スイッチ２８は、スイッチオンされ、パーソナル・コンピューター・フェールセーフ保護デバイス１０を操作モードにする。
コンピュータ・システム及びモニタ、若しくは１つのコンピュータ・システム５６も、また操作モードとされる。
電力センサ４８は、続けて、電力がコンピュータ・システムから生じる時期を測定する為、モニタ若しくは１つのコンピュータ・システム５６へと供給される電力を検知する。そして、モニタ若しくは１つのコンピュータ・システム５６は、予め決定された値以下となる。
【００１６】
モニタが予め決定された期間、活動していない状態である時、モニタはスリープ・モードとなる。
スリープ・モードにおいては、モニタに必要な電力を最小限度にまで減少させ、モニタ不使用時のエネルギー節約にもつながる。
さらに、モニタもしくは１つのコンピュータ・システム５６の電源がＯＦＦとなっている時、そこで消費される電力は最小となる。この間、通信ライン、例えば、ケーブル線、ｘＤＳＬ線及びモデム線は、未だに、通信チャネル上に存する電源により、電力を供給される。
この時、ハッカーは、通信チャネル上に存する電源により、これらの通信・チャネルを介して、コンピュータ・システムに侵入し得る。
モニタもしくはコンピューターの電源がＯＦＦ、若しくはスリープ状態の時、ハッカーがコンピュータ・システムに侵入する可能性を防止する為、コンピュータ・システムへの入力ポートはシステムから隔離されていなければならない。
【００１７】
電力センサ４８は、モニタ、若しくは、１つのコンピュータ・システム５６から生じる電力が、スリープ状態や、システムの電源ＯＦＦ時などのような、閾値以下にまで落ちたことを検知する時、電力センサ４８は、第１、第２、及び第３リレー、５０，５２、及び５４、それぞれをトリガさせる。
第１リレーのトリガは、ケーブル入力コネクタ１８と、ケーブル出力コネクタ３８との接続を断つ。それによって、ケーブル線からコンピュータ・システムを隔離する。
第２リレー５２のトリガは、ｘＤＳＬ入力コネクタ２０と、ｘＤＳＬ出力コネクタ４０との接続を断つ。それによって、ｘＤＳＬ線からコンピュータ・システムを隔離する。
第３リレー５４のトリガは、モデム入力ポート２２と、モデム出力ポート４２との接続を断つ。それによって、モデム線からコンピュータ・システムを隔離する。
電話/ＦＡＸポート４４は、電話線に接続され、常に使用可能である。
【００１８】
代わりに、使用者は、手動オーバーライド・スイッチ２６を作動させることにより、手動で、通信チャネルからコンピュータ・システムを切断することができる。
手動オーバーライド・スイッチ２６は、第１、第２、及び第３リレーと接続して、各リレーを作動するようトリガする。
手動作動スイッチ４８によってトリガすると、第１リレーは、ケーブル入力コネクタ１８と、ケーブル出力コネクタ３８との接続を断ち、それによって、ケーブル線からコンピュータ・システムを隔離する。第２リレー５２は、ｘＤＳＬ入力コネクタ２０と、ｘＤＳＬ出力コネクタ４０との接続を断ち、それによって、ｘＤＳＬ線からコンピュータ・システムを隔離する。そして、第３リレー５４は、モデム出力ポート２２と、モデム出力ポート４２との接続を断ち、それによって、モデム線からコンピュータ・システムを隔離する。
【００１９】
電力センサ４８が、モニタ若しくは１つのコンピュータ・システム５６から生じる電力が、閾値以上となるのを検知する時、第１、第２、及び第３リレー、５０，５２、及び５４は、再度、それぞれについて、トリガされる。
トリガされた際、第１リレーは、ケーブル入力コネクタ１８を、ケーブル出力コネクタ３８へと再接続し、それによって、コンピュータ・システムと、ケーブル線とを再接続する。
第２リレー５２は、ｘＤＳＬ入力コネクタ２０を、ｘＤＳＬ出力コネクタ４０へと再接続し、それによって、コンピュータ・システムと、ｘＤＳＬ線とを再接続する。
そして、第３リレー５４は、モデム入力ポート２２を、モデム出力ポート４２へと再接続し、それによって、コンピュータ・システムと、モデム線とを再接続する。
【００２０】
電力センサ４８は、第１、第２、及び第３リレー、５０、５２、及び５４のそれぞれをトリガし、予め定められた期間、コンピュータ・システム若しくは１つのコンピュータ・システム５６への、ケーブル、ｘＤＳＬ、及び/又はモデム線へとつなぎ、使用者がコンピュータ・システム若しくは１つのコンピュータ・システム５６へアクセスするのを容易とする。
こうして、ユーザは、所定期間に、コンピューターに接続できる。その時間は、コンピュータ・システム内に蓄積されたデータを取得しようとする、他人には知られない。
期間の満了において、電力センサ４８は、第１、第２、及び第３リレー、５０，５２、及び５４を、コンピュータ・システム若しくは１つのコンピュータ・システム５６からケーブル、ｘＤＳＬ、及び/又はモデム線を断線する為、それぞれ、再トリガさせる。
【００２１】
上述の如く、本発明に係るパーソナルコンピュータ・フェールセーフ保護デバイスは、従来の装置の欠点を克服する。該パーソナルコンピュータ・フェールセーフ保護デバイスは、パーソナルコンピュータ或いは１つのプロセッサ・モニタ・システムをケーブル、ＤＳＬ及び通常のモデム／電話線から切断する。このとき、コンピュータはモニタの電力を検知することによってオフ状態とされる。該電力は、モニタがスリープ・モードに入ったか否かを定める。モニタがスリープ・モードに入ったとき或いはオフ状態とされるとすぐに、パーソナルコンピュータはケーブル、ＤＳＬ及び一般のモデム／電話線から切断される。パーソナルコンピュータ・フェールセーフ保護デバイスは、ケーブル、ＤＳＬ及び通常のモデム／電話線のための入力及び出力ポートを備え、また電話やファクシミリへ接続するための追加の出力ポートを備える。電話やファクシミリへの接続は、ケーブル、ＤＳＬ及び通常のモデム／電話線がデバイスによって切断されているときにおいても、動作可能である。パーソナルコンピュータ・デバイスは１日のうちの予め定められた特定期間においてコンピュータにアクセスすることを可能とする。これによって、ユーザは所定の時間帯にコンピュータと接触することが可能となる。更に、本発明のパーソナルコンピュータ・フェールセーフ保護デバイスは、簡便且つ容易に、使用可能であり、経済的に製造可能である。
【００２２】
上述の各要素、或いは２つ或いはそれ以上の要素が上記説明と異なる方法の形態として有用に応用可能である。
【００２３】
本発明の一部の新規な形態が示され説明され、従属請求項で示されてきたが、上記の詳細部分に限定されるものではなく、上述の形態や詳細において様々な省略、改造、代用及び変更がなされうる。またそのような変更等の所作は本発明の要旨を変更することなく当業者にとって容易になされうる。
【００２４】
更なる説明をすることなしに、上記説明は本発明の要旨を完全に現している。したがって、現在の知識を以って、従来技術を用いて、本発明の全体的或いは特定の部分の必要不可欠な特徴を作り出す形態を省略することなしに、他者が様々な応用形態を実施することが可能である。
【図面の簡単な説明】
【００２５】
【図１】本発明のパーソナル・コンピュータ・フェールセーフ保護デバイスの上部斜視図である。
【図２】本発明のパーソナル・コンピュータ・フェールセーフ保護デバイスの正面図である。
【図３】本発明のパーソナル・コンピュータ・フェールセーフ保護デバイスの上面図である。
【図４】本発明のパーソナル・コンピュータ・フェールセーフ保護デバイスの底面図である。
【図５】モニタによって消費される電力を検知する本発明のパーソナル・コンピュータ・フェールセーフ保護デバイスを形成する要素を図示するブロック図である。
【図６】単一ユニットのプロセッサ及びモニタを含む１つのコンピュータ・システムに接続する本発明のパーソナル・コンピュータ・フェールセーフ保護デバイスを形成する要素を示すブロック図である。
【符号の説明】
【００２６】
１０  本発明のパーソナル・コンピュータ・フェールセーフ保護デバイス
１２  ハウジング
１４  上面
１６  前面
１８  ケーブル・コネクタ
２０  ｘＤＳＬコネクタ
２２  モデム線コネクタ
２４  ＡＣ入力
２６  ライン電源オーバーライド・スイッチ
２８  ＡＣ電源スイッチ
３０  インジケータ・ライト
３２  ハウジングの他面
３４  電源コード
３６  ハウジング第2面
３８  ケーブル出力コネクタ
４０  ｘＤＳＬ出力コネクタ
４２  モデム線コネクタ
４４  電話/ＦＡＸコネクタ
４６  ＡＣ電源装置
４８  電力センサ
５０  第1リレー
５２  第2リレー
５４  第3リレー
５６  コンピュータ・システム
５８  コンピュータ・システム・マイクロプロセッサ
６０  メモリ
【手続補正３】
【補正対象書類名】図面
【補正対象項目名】図５
【補正方法】変更
【補正の内容】
【図５】
2005518044.tif 000009
【国際調査報告】
2005518044.tif 000010